(57)【要約】      （修正有）【課題】特にリフト構造を備え、変形しない入力装置を提供する。【解決手段】上面に複数の掛合部１１が設けられるベース１０と、それぞれの両端が該ベースの掛合部に掛合され、交差状に配列される２本の支持軸２０と、前記支持軸に取り付けられるパッド３０と、前記ベースとパッドとの間に設置されるスイッチ４０と、を有する入力装置を提供する。【選択図】図２
2015011700.tif 000002
【特許請求の範囲】
【請求項１】
上面に複数の掛合部が設けられるベースと、
それぞれの両端が該ベースの掛合部に掛合され、交差状に配列される２本の支持軸と、
前記支持軸に取り付けられるパッドと、
前記ベースとパッドとの間に設置されるスイッチと、を有することを特徴とする入力装置。
【請求項２】
前記支持軸がパッドの辺と平行するように設置されることを特徴とする請求項１に記載の入力装置。
【請求項３】
前記支持軸の両端がそれぞれパッドの対角位置に伸びると共に、該支持軸がパッドと平行しないように設置されることを特徴とする請求項１に記載の入力装置。
【請求項４】
前記スイッチは、ベース及びパッドと当接されるように、弾性復元力を備える弾性スイッチであり、
前記パッドを押して下方へ移動させると、弾性スイッチの弾性復元力によって、該パッドが自動的に復位することを特徴とする請求項１乃至３の何れか１項に記載の入力装置。
【請求項５】
前記ベースとパッドとの間に、少なくとも１つの弾性部材を備え、該弾性部材は、ベース及びパッドに当接され、
前記パッドを押して下方へ移動させると、弾性部材によって、該パッドが自動的に復位することを特徴とする請求項１乃至３の何れか１項に記載の入力装置。
【請求項６】
前記支持軸は、連結部と、該連結部の両端に湾曲状に設けられる掛合端部とを備え、該掛合端部は、摺動可能にベースの掛合部に取り付けられ、該連結部が平行にパッドの底面に当接されることを特徴とする請求項１乃至３の何れか１項に記載の入力装置。
【請求項７】
前記掛合端部の連結部の端部に連結段が延設され、該連結段の末端に掛合足が湾曲状に延設され、該掛合足は、摺動可能に掛合部に掛合されることを特徴とする請求項６に記載の入力装置。
【請求項８】
前記２本の支持軸のうち、１本の支持軸の連結部に弧形の湾曲段が設けられ、もう１本の支持軸がこの湾曲段を通過して交差状に設置されることを特徴とする請求項６に記載の入力装置。
【請求項９】
前記ベースに収容溝が形成され、該収容溝に前記支持軸の湾曲段が収容されることを特徴とする請求項８に記載の入力装置。
【請求項１０】
前記パッドの底面に複数のクランプが設けられ、該クランプに回転可能に前記支持軸が取り付けられることを特徴とする請求項１乃至３の何れか１項に記載の入力装置。
【請求項１１】
前記ベースの上面に複数の凹部が形成され、該凹部に前記パッドのクランプが収容されることを特徴とする請求項１０に記載の入力装置。
【請求項１２】
前記ベースの上面に複数の位置決め孔が形成され、
前記パッドの底面に複数の位置決め柱が設けられ、該位置決め柱が位置決め孔に挿設されることを特徴とする請求項１乃至３の何れか１項に記載の入力装置。
【請求項１３】
前記パッドの底面に複数の掛合溝が形成され、該掛合溝に前記ベースの掛合部が収容されることを特徴とする請求項１乃至３の何れか１項に記載の入力装置。
【請求項１４】
前記ベースとパッドとの間にさらに、複数のはさみ構造が設けられ、該はさみ構造は、２本の支持軸の間とパッドの辺との間に位置することを特徴とする請求項１乃至３の何れか１項に記載の入力装置。
【請求項１５】
前記はさみ構造は、交差状に設置される第一フレーム及び第二フレームを有し、該第一フレームの一端がベースに枢設されると共に、他端が摺動可能にパッドの底面に取り付けられ、また、該第二フレームの一端が摺動可能にベースに取り付けられると共に、他端がパッドの底面に枢設されることを特徴とする請求項１４に記載の入力装置。
【請求項１６】
前記掛合部は、上壁及び２枚の側壁を備え、該側壁は、ベースの上面と上壁との間に設けられ、ベースの上面と側壁と上壁との間に収容空間及びスリットが形成され、
前記支持軸の両端がスリットを通って摺動可能に収容空間に位置することを特徴とする請求項１乃至３の何れか１項に記載の入力装置。
【請求項１７】
前記スイッチは、支持軸の交差位置の近傍に位置するように、パッドの底面中央に設置されることを特徴とする請求項１乃至３の何れか１項に記載の入力装置。
【請求項１８】
前記スイッチは、パッドの底面またはベースの上面に取り付けられることを特徴とする請求項１乃至３の何れか１項に記載の入力装置。
【請求項１９】
複数の掛止部が設けられる結合面と、
連結部と、該連結部の両端にそれぞれ湾曲状に設けられる掛合端部とを備え、該掛合端部が結合面の掛合部に掛合されると共に、交差状に設置され、同一の支持面を構成する２本の支持軸と、を有することを特徴とする入力装置のリフト構造。
【請求項２０】
前記支持軸は、十字形またはＸ字形に設置されることを特徴とする請求項１９に記載の入力装置のリフト構造。
【請求項２１】
前記掛合端部における連結部の端部に連結段が延設され、該連結段の末端に掛合足が湾曲状に延設され、該掛合足は、摺動可能に掛合部に取り付けらることを特徴とする請求項１９または２０に記載の入力装置のリフト構造。
【請求項２２】
前記２本の支持軸のうち、１本の支持軸の連結部に弧形の湾曲段が設けられ、もう１本の支持軸がこの湾曲段を通過して交差状に設置されることを特徴とする請求項１９または２０に記載の入力装置のリフト構造。
【請求項２３】
前記ベースに収容溝が形成され、該収容溝に前記支持軸の湾曲段が収容されることを特徴とする請求項２２に記載の入力装置のリフト構造。
【請求項２４】
前記掛合部は、上壁及び２枚の側壁を備え、該側壁は、結合面と上壁との間に設けられ、該結合面と側壁と上壁との間に収容空間及びスリットが形成され、
前記支持軸の両端がスリットを通って摺動可能に収容空間に位置することを特徴とする請求項１９または２０に記載の入力装置のリフト構造。
【請求項２５】
前記支持面にカバーが設置されることを特徴とする請求項１９または２０に記載の入力装置のリフト構造。
【請求項２６】
前記結合面とカバーとの間に少なくとも１つの弾性部材が設けられ、該弾性部材は、結合面及びカバーと当接され、カバーを押して下方へ移動させると、該弾性部材によって、カバーが自動的に復位することを特徴とする請求項２５に記載の入力装置のリフト構造。
【請求項２７】
前記カバーがパッドまたはキーボードのボタンであることを特徴とする請求項２５に記載の入力装置のリフト構造。
【発明の詳細な説明】
【技術分野】
【０００１】
本発明は特にタッチパッドのリフト構造に関するものである。
【背景技術】
【０００２】
タッチパッドは、電子設備、例えば、ノートブックパソコンやスマートフォンなどの携帯用電子機器によく用いられる入力装置であり、このタッチパッドを用いれば、マウスを使わなくてもカーソルをコントロールして入力作業を行うことができる。
【０００３】
従来のタッチパッドは、パッドの下方に、マウスの右ボタン及び左ボタンと同様の操作を行うことができる２つのボタンが付いており、このボタンをタッチパッドと組み合わせて用いることによって、ノートパソコンを操作する。
【０００４】
既存の技術では、タッチパッドにボタンは設けられていなく、指でタッチパッドをクリックする時、その指のタッチ位置を判断しながらマウスの右ボタンや左ボタンかを判断し、ノートパソコンの操作を行う。
【０００５】
図１４及び図１５に示すように、既存のタッチパッドは、パッド９１のどこを押してもパッド９１が水平状態で昇降する。
【０００６】
既存のタッチパッドは、パッド９１とベース９２との間に交差状に設置された２つの矩形のフレーム９３を有し、該パッド９１の底面にフック９１１、９１２が、ベース９２の底面にフック９２１、９２２が取り付けられ、一方、フレーム９３は、下段９３１と、中段９３２と、上段９３３とを備え、一つのフレーム９３の下段９３１が回転可能にベース９２のフック９２１に取り付けられ、もう一つのフレーム９３の下段９３１が摺動可能にベース９２のフック９２２に取り付けられ、上段９３３が回転可能にパッド９１のフック９１１に取り付けられ、更に、２つのフレーム９３の中段９３２がＸ字形に枢設される。
【０００７】
これによれば、パッド９１のどこを押したとしても一番近いフレーム９３の下段９３１及び上段９３３がそれぞれパッド９１及びベース９２に対して枢転し、それに伴い、中段９３２が他方のフレーム９３をつれて同期に移動することができると共に、パッド９１が水平状態を維持しながら昇降することができる。
【０００８】
図１６に示すように、パッド９１からの押圧力が常にスイッチ９４に伝わるようにするために、スイッチ９４はパッド９１の中央に取り付けられる。
【先行技術文献】
【特許文献】
【０００９】
【特許文献１】米国特許公開第２０１０/０３０２１５３号。
【発明の概要】
【発明が解決しようとする課題】
【００１０】
しかしながら、既存のタッチパッドを使用する時、パッドの一側が押されると、スイッチが支点であることから、パッドの両側がやや湾曲されて変形してしまい。また、パッドが変形してしまうと、パッドを押すための力が緩和され、押圧力が不足でスイッチを駆動することができないという問題が生じ、タッチパッドに使いにくいという欠点もあった。
【課題を解決するための手段】
【００１１】
本発明に係る入力装置は、上面に複数の掛合部が設けられるベースと、
それぞれの両端が該ベースの掛合部に掛合され、交差状に配列される２本の支持軸と、前記支持軸に取り付けられるパッドと、前記ベースとパッドとの間に設置されるスイッチと、を有するものである。
【００１２】
かかる入力装置において、前記支持軸がパッドの辺と平行するように設置されることが好ましい。
【００１３】
かかる入力装置において、前記支持軸の両端がそれぞれパッドの対角位置に伸びると共に、該支持軸がパッドと平行しないように設置されることが好ましい。
【００１４】
かかる入力装置において、前記スイッチは、ベース及びパッドと当接されるように、弾性復元力を備える弾性スイッチであり、
前記パッドを押して下方へ移動させると、弾性スイッチの弾性復元力によって、該パッドが自動的に復位することが好ましい。
【００１５】
かかる入力装置において、前記ベースとパッドとの間に、少なくとも１つの弾性部材を備え、該弾性部材は、ベース及びパッドに当接され、
前記パッドを押して下方へ移動させると、弾性部材によって、該パッドが自動的に復位することが好ましい。
【００１６】
かかる入力装置において、前記支持軸は、連結部と、該連結部の両端に湾曲状に設けられる掛合端部とを備え、該掛合端部は、摺動可能にベースの掛合部に取り付けられ、該連結部が平行にパッドの底面に当接されることが好ましい。
【００１７】
かかる入力装置において、前記掛合端部の連結部の端部に連結段が延設され、該連結段の末端に掛合足が湾曲状に延設され、該掛合足は、摺動可能に掛合部に掛合されることが好ましい。
【００１８】
かかる入力装置において、前記２本の支持軸のうち、１本の支持軸の連結部に弧形の湾曲段が設けられ、もう１本の支持軸がこの湾曲段を通過して交差状に設置されることが好ましい。
【００１９】
かかる入力装置において、前記ベースに収容溝が形成され、該収容溝に前記支持軸の湾曲段が収容されることが好ましい。
【００２０】
かかる入力装置において、前記パッドの底面に複数のクランプが設けられ、該クランプに回転可能に前記支持軸が取り付けられることが好ましい。
【００２１】
かかる入力装置において、前記ベースの上面に複数の凹部が形成され、該凹部に前記パッドのクランプが収容されることが好ましい。
【００２２】
かかる入力装置において、前記ベースの上面に複数の位置決め孔が形成され、
前記パッドの底面に複数の位置決め柱が設けられ、該位置決め柱が位置決め孔に挿設されることが好ましい。
【００２３】
かかる入力装置において、前記パッドの底面に複数の掛合溝が形成され、該掛合溝に前記ベースの掛合部が収容されることが好ましい。
【００２４】
かかる入力装置において、前記ベースとパッドとの間にさらに、複数のはさみ構造が設けられ、該はさみ構造は、２本の支持軸の間とパッドの辺との間に位置することが好ましい。
【００２５】
かかる入力装置において、前記はさみ構造は、交差状に設置される第一フレーム及び第二フレームを有し、該第一フレームの一端がベースに枢設されると共に、他端が摺動可能にパッドの底面に取り付けられ、また、該第二フレームの一端が摺動可能にベースに取り付けられると共に、他端がパッドの底面に枢設されることが好ましい。
【００２６】
かかる入力装置において、前記掛合部は、上壁及び２枚の側壁を備え、該側壁は、ベースの上面と上壁との間に設けられ、ベースの上面と側壁と上壁との間に収容空間及びスリットが形成され、
前記支持軸の両端がスリットを通って摺動可能に収容空間に位置することが好ましい。
【００２７】
かかる入力装置において、前記スイッチは、支持軸の交差位置の近傍に位置するように、パッドの底面中央に設置されることが好ましい。
【００２８】
かかる入力装置において、前記スイッチは、パッドの底面またはベースの上面に取り付けられることが好ましい。
【００２９】
一方、本発明に係る入力装置のリフト構造は、複数の掛止部が設けられる結合面と、連結部と、該連結部の両端にそれぞれ湾曲状に設けられる掛合端部とを備え、該掛合端部が結合面の掛合部に掛合されると共に、交差状に設置され、同一の支持面を構成する２本の支持軸と、を有するものである。
【００３０】
かかる入力装置のリフト構造において、前記支持軸は、十字形またはＸ字形に設置されることが好ましい。
【００３１】
かかる入力装置のリフト構造において、前記掛合端部における連結部の端部に連結段が延設され、該連結段の末端に掛合足が湾曲状に延設され、該掛合足は、摺動可能に掛合部に取り付けらることが好ましい。
【００３２】
かかる入力装置のリフト構造において、前記２本の支持軸のうち、１本の支持軸の連結部に弧形の湾曲段が設けられ、もう１本の支持軸がこの湾曲段を通過して交差状に設置されることが好ましい。
【００３３】
かかる入力装置のリフト構造において、前記ベースに収容溝が形成され、該収容溝に前記支持軸の湾曲段が収容されることが好ましい。
【００３４】
かかる入力装置のリフト構造において、前記掛合部は、上壁及び２枚の側壁を備え、該側壁は、結合面と上壁との間に設けられ、該結合面と側壁と上壁との間に収容空間及びスリットが形成され、
前記支持軸の両端がスリットを通って摺動可能に収容空間に位置することが好ましい。
【００３５】
かかる入力装置のリフト構造において、前記支持面にカバーが設置されることが好ましい。
【００３６】
かかる入力装置のリフト構造において、前記結合面とカバーとの間に少なくとも１つの弾性部材が設けられ、該弾性部材は、結合面及びカバーと当接され、カバーを押して下方へ移動させると、該弾性部材によって、カバーが自動的に復位することが好ましい。
【００３７】
かかる入力装置のリフト構造において、前記カバーがパッドまたはキーボードのボタンであることが好ましい。
【発明の効果】
【００３８】
上述した構造によれば、パッドを押すと、ベースとパッドとの間に枢転される支持軸によって、パッドの中央部分から４つの隅角まで水平な状態で下方へ移動する。また、スイッチを支点とせずに、支持軸によってパッドの中央部分を下方へ移動させることから、パッドの湾曲や変形などは発生しないので、タッチパッドが破損することはなく、使い心地にも優れている。
【００３９】
さらに、支持軸の端部がパッドの対角位置に取り付けられることから、パッドのどこを押しても、その押圧力がパッドに均一に伝わるので、パッドを変形させずに水平の状態で下方へ移動させることができる。
【図面の簡単な説明】
【００４０】
【図１】本発明に係る入力装置の第一実施例の斜視図である。
【図２】本発明に係る入力装置の第一実施例の分解斜視図である。
【図３】本発明に係る入力装置の第一実施例の平面図である。
【図４】本発明に係る入力装置の第一実施例の透視斜視図である。
【図５】本発明に係る入力装置の第一実施例におけるパッド及び支持軸の斜視図である。
【図６】本発明に係る入力装置の第一実施例において電子機器を装着した状態を示す斜視図である。
【図７】本発明に係る入力装置の第一実施例において元の状態を示す部分断面図である。
【図８】本発明に係る入力装置の第一実施例においてパッドを押した状態を示す部分断面図である。
【図９】本発明に係る入力装置における支持軸を十字形に配列した状態を示す他の実施例の透視平面図である。
【図１０】本発明に係る入力装置における弾性部材を取り付けた状態を示す他の実施例の部分断面図である。
【図１１】本発明に係る入力装置の第二実施例の透視斜視図である。
【図１２】本発明に係る入力装置の第二実施例におけるはさみ構造を示す部分拡大断面図である。
【図１３】本発明に係る入力装置の第三実施例の部分断面図である。
【図１４】既存のタッチパッドの斜視図である。
【図１５】既存のタッチパッドの元の状態を示す説明図である。
【図１６】既存のタッチパッドにおいて、パッドを押した状態を示す説明図である。
【発明を実施するための形態】
【００４１】
以下、添付図面を参照して本発明の適切な実施の形態を詳細に説明する。
【００４２】
図１及び図２に示すように、本発明に係る入力装置における第一実施例は、ベース１０と、２本の支持軸２０と、パッド３０と、スイッチ４０とを有する。
【００４３】
図２乃至図４に示すように、前記ベース１０は矩形を呈し、上面に複数の掛合部１１が設けられる。また、本実施例においては、支持軸２０の端部の数量と対応するように、ベース１０の隅角近傍に４つの掛合部１１が設けられ、該各掛合部１１は、上壁１１１と、２枚の側壁１１２と、収容空間と、スリットとを備え、該側壁１１２は、ベース１０の上面に延設され、該上壁１１１は、ベース１０の上面と間隔をおいて２枚の側壁１１２の上部に設けられ、該収容空間は、ベース１０の上面と側壁１１２と上壁１１１との間に形成され、該スリットは、該収容空間の側壁１１２と反対する側に形成される。
【００４４】
前記ベース１０はさらに、収容溝１２と、複数の凹部１３と、複数の位置決め孔１４とを備え、その内、該収容溝１２は細長状を呈し、ベース１０の上面の中央近傍に形成され、該凹部１３はそれぞれ、ベース１０の上面の２本の対角線に沿って間隔をおいて配列され、該位置決め孔１４はそれぞれ、ベース１０の上面の４つの隅角近傍に形成される。
【００４５】
前記支持軸２０は、交差状にベース１０の上面に取り付けられ、同一の支持面を構成する。また、本実施例においては、支持軸２０がベース１０の２本の対角線に沿って設置され、すなわち、ベース１０の辺に対して４５度となるようにＸ字形に配列され、この２本の支持軸２０は、ベース１０またはパッド３０の辺と平行しないように、その他の形状となるように設置されてもよく、或いは、図９に示すように、ベース１０またはパッド３０の辺と平行するように、十字形に設置されてもよい。
【００４６】
図２乃至図４に示すように、本実施例における各支持軸２０の両端は、摺動可能にベース１０の対角位置の掛合部１１に取り付けられ、該各支持軸２０は、中段に連結部２１が、両端に湾曲状の掛合端部２２が設けられ、該掛合端部２２は、連結部２１の端部に連結段２２１が延設され、該連結段２２１の末端に掛合足２２２が湾曲状に延設され、該掛合足２２２は、スリットを通って収容空間に位置するように、摺動可能且つ回転自在に掛合部１１に取り付けられる。この構成によれば、支持軸２０を上下に移動させる時、支持軸２０の掛合端部２２がベース１０の掛合部１１に制限されるので、連結部２１がベース１０に対して水平に移動する。
【００４７】
また、１本の支持軸２０の連結部２１に弧状及び湾曲状の湾曲段２１１が設けられ、もう１本の支持軸２０がこの湾曲段２１１を通過して交差状に配置されることから、その２本の支持軸２０を交差状に配置してもパッド３０の底面から突出することはない。
【００４８】
前記収容溝１２が、ベース１０における湾曲段２１１と対応する箇所に形成されていることから、パッド３０が支持軸２０に下方へ移動する時、ベース１０側の支持軸２０の湾曲段２１１が収容溝１２に収容されるので、この湾曲段２１１がベース１０に突き当たることはない。
【００４９】
図２、図３及び図５に示すように、前記パッド３０は矩形を呈し、支持軸２０の支持面に位置するように、該支持軸２０上に取り付けられ、本実施例においては、支持軸２０の両端がそれぞれパッド３０の対角位置に延出する。
【００５０】
また、前記パッド３０の底面に複数のクランプ３１が設けられ、これらのクランプ３１はそれぞれ、該パッド３０の２本の対角線に沿って配置され、前記支持軸２０は、回転可能に同一の対角線上のクランプ３１に取り付けられる。その構成によれば、パッド３０を押して下方へ移動させる時、クランプ３１がベース１０の凹部１３に収容されるので、クランプ３１がベース１０に突き当たることはない。
【００５１】
また、前記パッド３０の底面に４本の位置決め柱３２が設けられ、これらの位置決め柱３２はそれぞれベース１０の位置決め孔１４に挿設される。その構成によれば、パッド３０がベース１０に対して上下へ移動する時、パッド３０がベース１０に対して水平方向にずれることを防ぐことができる。
【００５２】
前記パッド３０の底面における、掛合部１１と対応する箇所に４つの掛合溝３３が形成される。この構成によれば、パッド３０を押して下方へ移動する時、ベース１０の掛合部１１がパッド３０の掛合溝３３に収容されるので、パッド３０がベース１０に突き当たることはない。
【００５３】
前記スイッチ４０は通常、ベース１０とパッド３０との間に設置されるが、本実施例においては、ベース１０の上面に当接するように（図７の如く）、パッド３０の底面中央に設置される。尚、前記スイッチ４０は、パッド３０の底面の他の位置に取り付けられてもよく、ベース１０の上面中央または他の位置に取り付けられてもよい。
【００５４】
一方、本実施例におけるスイッチ４０は、弾性復元力を備える、ベース１０及びパッド３０に当接される弾性スイッチであることから、パッド３０を押して下方へ移動させると、その弾性復元力により、パッド３０が自動的に復位する。或いは、図１０に示すように、ベース１０とパッド３０との間に少なくとも１つの弾性部材４１Ｂを備え、また、該弾性部材４１Ｂは、ベース１０Ｂ及びパッド３０Ｂと当接されるので、パッド３０Ｂを押して下方へ移動させると、該弾性部材４１Ｂの弾性復元力により、パッド３０が自動的に復位する。
【００５５】
図６に示すように、本発明に係るパッド３０は、携帯用の電子機器５０の表面に露出するように、ベース１０を携帯用の電子機器５０の内部に取り付けられるので、入力装置を装着する時、使用者は指でパッド３０にタッチするだけで電子機器を操作することができる。
【００５６】
図２及び図７に示すように、スイッチ４０は、パッド３０の底面に取り付けられると共に、ベース１０の上面に当接されることから、スイッチ４０によって、パッド３０とベース１０との間に間隙が形成され、パッド３０が所定の高さに支持される。
【００５７】
図２、図３及び図８に示すように、パッド３０を押すと、支持軸２０がパッド３０及びベース１０に対して枢転移動し、支持軸２０がパッド３０のクランプ３１を介してパッド３０を降下させる。尚、この支持軸２０は、交差状に設置されていることから、パッド３０を水平に維持しながら下方へ移動させることができる。また、スイッチ４０が支持軸２０の交差位置の近傍に位置しているが、パッド３０の中央近傍のクランプ３１に取り付けられる支持軸２０によってパッド３０の中央部分が下方へ移動するので、スイッチ４０とせずに、パッド３０の湾曲や変形などが発生しないので、入力装置の使い心地に優れている。
【００５８】
さらに、支持軸２０の端部がパッド３０の対角位置に取り付けられることから、パッド３０の中央から４つの隅角にかけて支持軸２０の引き力を均一に受けることから、パッド３０のどこを押しても、その押圧力がパッド３０に均一に伝わるので、パッド３０を変形させることなく、水平状態で均一に下降させることができる。
【００５９】
図１１及び図１２に示すように、本発明における第二実施例は、殆ど第一実施例と同一であるが、さらに２つのはさみ構造６０Ｃを有する点において異なり、このはさみ構造６０Ｃは、２本の支持軸２０Ｃの間とパッド３０Ｃの辺との間に位置するように、ベース１０Ｃとパッド３０Ｃとの間に取り付けられ、このはさみ構造６０Ｃによれば、パッド３０Ｃの上下移動がよりスムーズとなる。
【００６０】
また、前記はさみ構造６０Ｃは、２本の支持軸２０の交差区域とベース１０の短辺側との間に設置されることが好ましく、該各はさみ構造６０Ｃは、側面図では第一フレーム６１Ｃ及び第二フレーム６２ＣがＸ字形に交差するように枢設され、また、該第一フレーム６１Ｃは、その一端がベース１０Ｃに枢設されると共に、他端が摺動可能にパッド３０Ｃの底面に取り付けられ、一方、該第二フレーム６２Ｃは、その一端が摺動可能にベース１０Ｃに取り付けられると共に、他端がパッド３０Ｃの底面に枢設される。
【００６１】
前記はさみ構造６０Ｃは、パッド３０Ｃの底面に取り付けられることから、パッド３０Ｃがずれないように、ベース１０Ｃに対して水平方向への移動することはない。また、前記はさみ構造６０Ｃの長手方向とベース１０Ｃの長手方向とが垂直に交わることから、この構成によって、パッド３０Ｃがベース１０Ｃに安定に取り付けられると共に、パッド３０Ｃがベース１０Ｃに対して水平方向への移動することはない。
【００６２】
図１３に示すように、本発明における第三実施例は、殆ど第一実施例と同一であるが、キーボードのボタンに応用され、入力装置についてのタッチパッドの代わりにボタン３０Ｄに使用する点おいて異なる。
【符号の説明】
【００６３】
１０        ベース
１０Ｂ      ベース
１０Ｃ      ベース
１１        掛合部
１１１      上壁
１１２      側壁
１２        収容溝
１３        凹部
１４        位置決め孔
２０        支持軸
２０Ｃ      支持軸
２１        連結部
２１１      湾曲段
２２        掛合端部
２２１      連結段
２２２      掛合足
３０        パッド
３０Ｂ      パッド
３０Ｃ      パッド
３１        クランプ
３２        位置決め柱
３３        掛合溝
４０        スイッチ
４１Ｂ      弾性部材
５０        携帯用の電子機器
６０Ｃ      はさみ構造
６１Ｃ      第一フレーム
６２Ｃ      第二フレーム
３０Ｄ      ボタン
９１        パッド
９２        ベース
９１１      フック
９１２      フック
９２１      フック
９２２      フック
９３        フレーム
９３１      下段
９３２      中段
９３３      上段
９４        スイッチ
【図１】
2015011700.tif 000003
【図２】
2015011700.tif 000004
【図３】
2015011700.tif 000005
【図４】
2015011700.tif 000006
【図５】
2015011700.tif 000007
【図６】
2015011700.tif 000008
【図７】
2015011700.tif 000009
【図８】
2015011700.tif 000010
【図９】
2015011700.tif 000011
【図１０】
2015011700.tif 000012
【図１１】
2015011700.tif 000013
【図１２】
2015011700.tif 000014
【図１３】
2015011700.tif 000015
【図１４】
2015011700.tif 000016
【図１５】
2015011700.tif 000017
【図１６】
2015011700.tif 000018